(57)【要約】【課題】本発明の目的は、莫大なコストがかからず、住宅用スプリンクラーと住宅用消火栓を使用する際に給水圧力を確保できる住宅用消火設備を提供することにある。【解決手段】住宅に分岐された給水元管より下流側に設置され、水栓等に接続された一般給水給湯配管と住宅用消火栓に接続された住宅用消火栓配管に分岐する第一の分岐部を有し、前記一般給水給湯配管、または前記第一の分岐部に第一の開閉弁を設け、また前記住宅用消火栓配管の途中に、住宅用スプリンクラーを接続する住宅用スプリンクラー配管を分岐する第二の分岐部を有し、前記住宅用スプリンクラー配管または前記第二の分岐部に第二の開閉弁を設け、第一の開閉弁にて前記一般給水給湯配管を、第二の開閉弁にて前記住宅用スプリンクラー配管を閉止できることを特徴とする住宅用消火設備とした。【選択図】図１
2004351043.tif 000002
【特許請求の範囲】
【請求項１】
住宅に分岐された給水元管より下流側に設置され、
水栓等に接続された一般給水給湯配管と住宅用消火栓に接続された住宅用消火栓配管に分岐する第一の分岐部を有し、
前記一般給水給湯配管、または前記第一の分岐部に第一の開閉弁を設け、
また前記住宅用消火栓配管の途中に、住宅用スプリンクラーを接続する住宅用スプリンクラー配管を分岐する第二の分岐部を有し、
前記住宅用スプリンクラー配管または前記第二の分岐部に第二の開閉弁を設け、第一の開閉弁にて前記一般給水給湯配管を、第二の開閉弁にて前記住宅用スプリンクラー配管を閉止できることを特徴とする住宅用消火設備。
【請求項２】
前記住宅用消火栓を操作していることまたは前記住宅用スプリンクラーが作動していることを検知する第一の検知部と、
前記第一の検知部の信号を受信し前記第一の開閉弁を制御する第一の制御部を有し、
前記第一の検知部が前記住宅用消火栓を操作していることまたは前記住宅用スプリンクラーが作動していることを検知すると、前記第一の制御部により前記第一の開閉弁が、前記一般給水給湯配管を閉止できることを特徴とする請求項１に記載の住宅用消火設備。
【請求項３】
前記住宅用消火栓を操作していることを検知する第二の検知部と、
前記第二の検知部の信号を受信し前記第二の開閉弁を制御する第二の制御部を有し、
前記第二の検知部が前記住宅用消火栓を操作していることを検知すると、前記第二の制御部により前記第二の開閉弁にて前記住宅用スプリンクラー配管を閉止できることを特徴とする請求項１または請求項２に記載の住宅用消火設備。
【請求項４】
住宅に分岐された給水元管より下流側に設置され、
水栓等に接続された一般給水給湯配管と住宅用消火栓に接続された住宅用消火栓配管に分岐する第一の分岐部を有し、
前記一般給水給湯配管、または前記第一の分岐部に第一の開閉弁を設け、
また前記住宅用消火栓配管の途中に、住宅用スプリンクラーを接続する住宅用スプリンクラー配管を分岐する第二の分岐部を有し、
前記住宅用スプリンクラー配管または前記第二の分岐部に給水切替器を設け、
第一の開閉弁にて前記一般給水給湯配管を閉止でき、前記給水切替器から下流の住宅用消火栓配管への給水と前記住宅用スプリンクラー配管への給水を切替できることを特徴とする住宅用消火設備
【請求項５】
前記住宅用消火栓を操作していることまたは前記住宅用スプリンクラーが作動していることを検知する第一の検知部と、
前記第一の検知部の信号を受信し前記第一の開閉弁を制御する第一の制御部を有し、
前記第一の検知部が前記住宅用消火栓を操作していることまたは前記住宅用スプリンクラーが作動していることを検知すると、前記第一の制御部により前記第一の開閉弁が、前記一般給水給湯配管を閉止できることを特徴とする請求項４に記載の住宅用消火設備。
【請求項６】
火災の発生を検知する火災感知器と前記火災感知器に接続された前記第一の開閉弁を制御する制御部を有し、
前記火災感知器が火災を感知した際に前記制御手段を介し前記第一の開閉弁にて、前記一般給水給湯配管を閉止できることを特徴とする請求項１乃至請求項５に記載の住宅用消火設備。
【発明の詳細な説明】
【０００１】
【発明の属する技術分野】
本発明は、水道の給水圧を用いて消火用の散水を行なう、建物内、特に一般住宅に設置される住宅用消火設備に関する。
【０００２】
【従来の技術】
近年、火災による家屋の損失または逃げ遅れによる死傷を未然に防止するために、消防法にて消防用設備の設置が義務付けられていない戸建て住宅の居住区においても、住宅用の消防用設備を設置することが多くなってきている。
【０００３】
住宅用消火設備としては、住宅用スプリンクラーや住宅用消火栓などがある。一般に住宅用スプリンクラーは寝室や居間、台所など火災が発生しやすい場所に設置され、火災の発生により自動的に住宅用スプリンクラーが散水し延焼を防ぐ。また住宅用消火栓は廊下などに設置され、ぼやなどの小規模な火災や、寝室や居間、台所などから出火した火災の火が廊下などに延焼した場合などに、人の意思によって使用する。火災発生時において、自動的に散水する住宅用スプリンクラーと人為的に散水する住宅用消火栓では、使用するタイミングが多くの場合異なる。
【０００４】
従来、この種の住宅用スプリンクラーとしては、各家屋に配管される給水給湯管を途中で分岐した分岐管にスプリンクラーヘッドが取り付けられており、分岐管の末端には給水装置が接続されている湿式と呼ばれるものがある。住宅用スプリンクラー配管の中は常時水が流れるようにしてあり、住宅用スプリンクラーの作動時に、水道本管から各家屋に供給される水の一部を使用して消火のための散水を行っている。
【０００５】
またそれ以外の住宅用スプリンクラーとしては、乾式と呼ばれる以下のようなものがある。これは、家屋内に分岐された給水元管からの配管が三方電磁弁の取水側に接続され、三方電磁弁の流出側には一般給水配管と消火用配管とがそれぞれへの給水が切り替えられるよう接続されている。消火用配管の必要な場所にはスプリンクラーヘッドが必要な箇所に取付けられ、熱感知器が火災を感知すると住宅情報盤に通報する。この制御信号により三方電磁弁を作動させ、一般給水配管から消火用配管にその給水を切り替えてスプリンクラーヘッドから放水を開始する。（例えば、特許文献１参照のこと）
【０００６】
そのほかの住宅用消火設備としては住宅用消火栓がある。従来の住宅用消火栓の斜視図を図５に示す。住宅スペース内のキッチンルーム１の流し台のキャビネット２の内部空間の背方壁体３の内部に給水管４が配管されており、その給水口に面した壁面にアルミ成形体あるいは合成樹脂成形体などからなる円形状の給水ホース内蔵ケース５が固着されている。この給水ホース内蔵ケース５は内部に長さ約１０ｍの給水ホース６が巻き取り状態にして収納されており、給水ホース６の基部は給水口の開閉コック７を介して給水管４と接続されており、また給水ホース６の先端部には吹き出し水の水量や勢いを調整する手元開閉コック８が設けられている（例えば、特許文献２参照のこと）
【０００７】
【特許文献１】
実開平５―９５６３号公報
【特許文献２】
特開平６―５４９２３号公報
【０００８】
【発明が解決しようとする課題】
一般住宅に住宅用スプリンクラーや住宅用消火栓といった住宅用消火設備を設置する場合、給水方法に関して以下の二つの方法が考えられる。
第一の方法は、一般のオフィスビルに設置されているものと同様に、防災機器に水を供給する防災配管と、他の一般給水給湯器具へ給水する一般給水給湯配管を分離し、前記防災配管の元部にポンプ等の加圧送水装置を使用して十分水圧を高めて万一の火災に備える方法である。
第二の方法は、前記従来例のように水道事業体の上水道設備である水道本管から住宅敷地内へ分岐接続した給水元管より、一般給水給湯配管と防災配管に分岐する方法で、防災機器への給水を水道本管の水圧により行うというものである。
第一の方法は加圧送水装置を使用しているため、防災機器への給水に関しては問題を生じないが、加圧送水装置を設置する場所が必要で、敷地を有効に利用できない。また設置するための設備費が高価であるという問題がある。これを解決するために第二の方法が考えられる。この方法では前記第一の方法の問題点がなく、コスト的に優位であるが、以下の場合には問題を生じる。
【０００９】
火災はいつ発生するか予測できないものであるため、火災発生時に一般給水給湯器具、例えば浴室のシャワーを使用していたり、洗濯機を動作させていたりすることが考えられる。このとき、防災機器が動作し水を使用する必要のある場合には、前述の一般給水給湯機器と同時に水を使用することになる。つまり水が防災機器のみでなく一般給水給湯機器にも給水されるが、前述のように給水元管部分では、両者へ供給される全ての水が流れる。この場合、給水元管の通水抵抗は一定のため、瞬間流量が多くなれば、圧力損失が増大する。水道本管部の水圧は火災が発生したからといって増大するわけではないので、結果として防災配管への分岐部の圧力が低下、即ち防災機器への給水圧力が低下し、火災という非常時に住宅用スプリンクラーや住宅用消火栓からの吐水量が減少し、十分に消火できない。
【００１０】
また同一の防災配管に住宅用スプリンクラーと住宅用消火栓を接続する場合がある。前述のように住宅用スプリンクラーと住宅用消火栓は使用するタイミングが異なるため、以下のような問題を生じる。
例えば住宅用スプリンクラーを設置してある居室において住宅用スプリンクラーが作動開始した後で、それでは消火できない延焼部分を住宅用消火栓にて消火したい場合に、住宅用消火栓を作動させると住宅用スプリンクラーと同時吐水することになる。これにより、前記の場合と同じく、圧力損失が増大し住宅用スプリンクラー、住宅用消火栓共に吐水量が減少し、十分に消火できない恐れがある。
【００１１】
また例えば、通常住宅用スプリンクラーを設置しない廊下からの出火による火災において、住宅用消火栓にて消火をしている際に居室に延焼し、その居室に設置してある住宅用スプリンクラーが作動した場合にも、住宅用消火栓と住宅用スプリンクラーが同時に吐水することになる。前述のようにこの状態では、配管中の圧力損失の増大により、住宅用スプリンクラーおよび住宅用消火栓の吐水量が減少し、十分に消火できない恐れがある。
【００１２】
そこで本発明の目的は、莫大なコストがかからず、住宅用スプリンクラーと住宅用消火栓を使用する際に給水圧力を確保できる住宅用消火設備を提供することにある。
【００１３】
【課題を解決するための手段】
上記課題を解決するために、請求項１では住宅に分岐された給水元管より下流側に設置され、水栓等に接続された一般給水給湯配管と住宅用消火栓に接続された住宅用消火栓配管に分岐する第一の分岐部を有し、前記一般給水給湯配管、または前記第一の分岐部に第一の開閉弁を設け、また前記住宅用消火栓配管の途中に、住宅用スプリンクラーを接続する住宅用スプリンクラー配管を分岐する第二の分岐部を有し、前記住宅用スプリンクラー配管または前記第二の分岐部に第二の開閉弁を設け、第一の開閉弁にて前記一般給水給湯配管を、第二の開閉弁にて前記住宅用スプリンクラー配管を閉止できるようにした。
【００１４】
これにより火災時に第一の開閉弁と第二の開閉弁を選択的に開閉操作することができるので、住宅用消火栓配管へ優先的に給水し、さらに住宅用スプリンクラー散水後でも住宅用消火栓のみに給水することができるため、住宅用スプリンクラーや住宅用消火栓で十分な水圧にて消火活動が行える。
【００１５】
請求項２では、前記住宅用消火栓を操作していることまたは前記住宅用スプリンクラーが作動していることを検知する第一の検知部と、前記第一の検知部の信号を受信し前記第一の開閉弁を制御する第一の制御部を有し、前記第一の検知部が前記住宅用消火栓を操作していることまたは前記住宅用スプリンクラーが作動していることを検知すると、前記第一の制御部により前記第一の開閉弁が、前記一般給水給湯配管を閉止できるようにした。
【００１６】
これにより火災時に自動的に住宅用消火栓配管へ優先的に給水し、さらに住宅用スプリンクラー散水後でも住宅用消火栓のみに給水することができるため、住宅用スプリンクラーや住宅用消火栓で十分な水圧にて消火活動が行える。
【００１７】
請求項３では、前記住宅用消火栓を操作していることを検知する第二の検知部と、前記第二の検知部の信号を受信し前記第二の開閉弁を制御する第二の制御部を有し、前記第二の検知部が前記住宅用消火栓を操作していることを検知すると、前記第二の制御部により前記第二の開閉弁にて前記住宅用スプリンクラー配管を閉止できるようにした。
【００１８】
これにより火災時に住宅用消火栓配管へ優先的に給水し、消火活動を行うことができる。
【００１９】
請求項４では、住宅に分岐された給水元管より下流側に設置され、水栓等に接続された一般給水給湯配管と住宅用消火栓に接続された住宅用消火栓配管に分岐する第一の分岐部を有し、前記一般給水給湯配管、または前記第一の分岐部に第一の開閉弁を設け、また前記住宅用消火栓配管の途中に、住宅用スプリンクラーを接続する住宅用スプリンクラー配管を分岐する第二の分岐部を有し、前記住宅用スプリンクラー配管または前記第二の分岐部に給水切替器を設け、第一の開閉弁にて前記一般給水給湯配管を閉止でき、前記給水切替器から下流の住宅用消火栓配管への給水と前記住宅用スプリンクラー配管への給水を切替できることとした。
【００２０】
これにより火災時に常に水圧を維持した状態で住宅用スプリンクラーと住宅用消火栓を何時でも切り替えて消火活動を行うことができる。
【００２１】
請求項５では、前記住宅用消火栓を操作していることまたは前記住宅用スプリンクラーが作動していることを検知する第一の検知部と、前記第一の検知部の信号を受信し前記第一の開閉弁を制御する第一の制御部を有し、前記第一の検知部が前記住宅用消火栓を操作していることまたは前記住宅用スプリンクラーが作動していることを検知すると、前記第一の制御部により前記第一の開閉弁が、前記一般給水給湯配管を閉止できるようにした請求項４に記載の住宅消火設備とした。
【００２２】
これにより火災時に自動的に住宅用消火栓配管へ優先的に給水し、さらに住宅用スプリンクラー散水後でも住宅用消火栓のみに給水することができるため、住宅用スプリンクラーや住宅用消火栓で十分な水圧にて消火活動が行える。
【００２３】
請求項６では、火災の発生を検知する火災感知器と前記火災感知器に接続された前記第一の開閉弁を制御する制御部を有し、前記火災感知器が火災を感知した際に前記制御手段を介し前記第一の開閉弁にて、前記一般給水給湯配管を閉止できるようにした。
【００２４】
これにより、第一の開閉弁として動作が遅いボールバルブ等を使用した場合でも、火災感知器の感知よりも操作が遅れる住宅用消火栓使用時には、第一の開閉弁が閉止完了状態であるため、操作開始時より十分な水圧で給水でき、消火活動を行うことができる。
【００２５】
【発明の実施の形態】
以下に本発明の実施形態について説明する。
図１は本発明の実施形態におけるシステム図を示す。水道本管から枝分かれして各家庭に引き込まれる給水元管２１の上流位置に量水計を含むメーターボックス２２が設置され、この下流に一般給水給湯配管２３と、住宅用消火栓配管２５とを分岐する第一の分岐部２４が形成されている。
一般給水給湯配管２３と住宅用消火栓配管２５は鋼管を用いてもよいが、鋼管は長年経過すると、配管内に錆が発生するため圧力損失が大きくなり、住宅用スプリンクラーや住宅用消火栓などのように水圧が必要な場合には、消火に支障を来す可能性がある。また住宅用スプリンクラーを設置する場合、天井裏に配管を這わせる必要があり、施工が行ないにくいため、本実施例では架橋ポリエチレンなどの合成樹脂製の管を使用した。
【００２６】
一般給水給湯配管２３の途中には第一の開閉弁２６が設置され、第一の開閉弁２６の下流には、図示されていない洗面化粧台や、浴室の水栓機器へ接続される配管が、給水給湯ヘッダー２７から分岐されている。
【００２７】
第一の分岐部２４から分岐して延設された住宅用消火栓配管２５は途中に給水切替器２８を有し、ここから住宅用スプリンクラー配管２９が分岐される。尚、この給水切替器２８は、給水された水を、住宅用消火栓１００へ接続される住宅用消火栓配管２５へ流すか、住宅用スプリンクラー配管２９に流すかの切替を行なう。即ち住宅用スプリンクラー配管２９を開閉する第二の開閉弁の機能を有している。住宅用スプリンクラー配管２９も本発明では架橋ポリエチレンなどの合成樹脂製の管を使用している。
【００２８】
住宅用スプリンクラー配管２９の下流側端部には住宅用スプリンクラー継手５０が取り付けられ、この住宅用スプリンクラー継手５０の先端にはスプリンクラーヘッド６２と、火災の熱を感知するコンシールドタイプの熱感知機能部５１を有しており、住宅用スプリンクラー６０を形成している。
この熱感知機能部５１は火災の熱により一定の温度に達すると作動し、信号線５２を介して警報ブザー５３に、さらに前記警報ブザー５３を介して第一の開閉弁２６に設けられた第一の制御部７１に信号線５６にて火災信号を送る。この信号により、警報ブザー５３は警報音を鳴動させ、第一の制御部７１は第一の開閉弁２６を閉じて、一般給水給湯配管２３を閉止する。前記一般給水給湯配管２３が閉止されると、給水給湯ヘッダー２７より分岐接続されている水栓機器への給水を止めることができ、給水元管２１に流れる水は住宅用消火栓配管２５へ流れる水のみとなるので、給水元管２１での圧力損失を抑えることができる。
【００２９】
また住宅用消火栓配管２５の末端には住宅用消火栓１００が廊下３００の壁面に設置されている。さらに住宅用消火栓１００から給水切替器２８および開閉弁２６へ信号線５４、５５が接続されており、住宅用消火栓の操作を検知し、信号線５４、５５によって、給水切替器２８に設けられた第二の制御部７２や第一の開閉弁２６に設けられた第一の制御部７１に信号を送る。
【００３０】
前記住宅用スプリンクラー継手５０の上流には、前記住宅用スプリンクラー６０に十分な給水を行うため、比較的大口径である内径１６ｍｍの住宅用スプリンクラー配管２９が接続されている。一方で、前記住宅用スプリンクラー継手５０の下流には、住宅用スプリンクラー二次側配管３２を介して大便器３０が接続されているが、前記大便器３０は大流量を必要としないので、前記住宅用スプリンクラー継手５０の下流には、比較的小口径である内径１３ｍｍの住宅用スプリンクラー二次側配管３２が接続されている。
大便器３０を使用すれば、住宅用消火栓配管２５、給水切替器２８、住宅用スプリンクラー配管２９、住宅用スプリンクラー継手５０、住宅用スプリンクラー二次側配管３２を通過し、大便器３０に給水される。大便器３０が定期的に開放される事で第一の分岐部２４から住宅用スプリンクラー６０までの経路は停滞水が発生する事がない。
本実施例として、大便器３０を図示しているが、これは浴室のシャワー水栓、または、洗濯機用の給水栓が接続されてもよい。
【００３１】
一方、給水切替器２８から分岐して延設された住宅用消火栓配管２５は末端に住宅用消火栓１００が接続される。住宅用消火栓１００は住居の廊下の壁などの散水幅が狭く、散水距離が必要な場所に設置される。
【００３２】
図２は本実施形態における住宅用スプリンクラー６０のスプリンクラーヘッド６２および熱感知機能部５１の横断面を表したものである。住宅用スプリンクラー６０は家屋の天井６１に穿設した開口部に取り付けてあり、住宅用スプリンクラー継手５０の下端部に、スプリンクラーヘッド６２が取り付けられ、部屋内部に露出している部分を椀型状のカバー６８と取付キャップ本体６６で着脱可能に取り付けられている。
【００３３】
カバー６８は、先端部にコイルスプリング６３を配設しており、また、カバー６８と取付けキャップ本体６６の間には、板バネ６４を配設している。かかる板バネ６４は、先端部のフック６５をカバー６８を介して、取付キャップ本体６６に係止され、且つ、カバー６８と比較的融点の低い半田６７で溶着されている。
【００３４】
そして火災発生時には、半田６７が火災発生直後の熱によって溶断し、カバー６８と板バネ６４との接合が外れ、カバー６８がコイルスプリング６３の作用と自重により、先ず下方に落下する。続いて、フック６５が、板バネ６４の作用により外側に開いて、取付キャップ本体６６から外れ、板バネ６４も自重により落下脱落し、スプリンクラー本体が露出する。その後、さらに火災により温度が上昇すると、感熱板より熱を受け、図示しない閉塞栓内の感熱開弁部材が溶融し、それに伴ってスプリンクラー本体の散水ノズルから図示しない閉塞栓が外れて、散水ノズルから消火のための散水が行なわれる。
【００３５】
カバー６８が落下すると、カバー６８に取付けられた磁石７０も落下し、取付けキャップ内に収められた、磁石７０の直上の第一の検知部である近接スイッチ６９が作動し、信号線５２を介して、警報ブザー５３を鳴動させる。さらに警報ブザー５３より信号線５６を介して、第一の開閉弁２６を制御する第１の制御部７１に信号が送られ、第一の開閉弁２６を閉止する。
【００３６】
図３は本実施形態の住宅用消火栓１００を住宅の廊下の壁面に埋め込んだ場合の横断面を示したものである。
住宅の壁１０１の内部空間に合成樹脂成形体からなる住宅用消火栓用のケース１０２が埋め込まれ、壁１０１に固定されている。また壁内部の下側より住宅用消火栓配管２５が導入されており、ケース１０２の下面より挿入され、継手１０４に接続されている。継手１０４は、止水弁１０５に接続され、その接合部を金属製の締結バンド１２０でケース１０２に固定されている。
【００３７】
止水弁１０５は内部に上流側パッキン１０６ａ、下流側パッキン１０６ｂ、及びボール体の弁体１０７からなり、前記弁体１０７には通水経路と鉛直方向に、前記弁体１０７を開閉状態に切り替えるための弁体軸１０８と、その弁体軸１０８にネジで固定されたハンドル１０９が構成されている。前記止水弁１０５の下流側は、金属製の締結バンド１２０によって、消火用ホース接続金具１１０と連結され、ケース１０２に固定されている。
【００３８】
消火用ホース１１２は、消火用ホース接続金具１１０に挿入され、消火用ホース固定リング１１１で圧着固定されている。消火用ホース１１２は、ポリエステル樹脂で形成され、該ホースの外面は繊維状、内面はライニングが施されている。該消火用ホース１１２は、全長は略１ｍで、カバー１１４により消火用ノズル１１３を介して、前記ケース１０２の奥行き方向に押し込まれる形で折り畳まれて、ケース１０２内の上部に収納されている。該消火用ホース１１２の下流側先端には、合成樹脂で成形された消火用ノズル１１３が、加熱溶着されている。
【００３９】
カバー１１４は合成樹脂で成形され、一体成形された図示しないツメにより、ケース１０２に固定されている。該カバー１１４の上部と下部には、取っ手１１５を固定する固定金具１１６があり、該カバー１１４の上部の固定金具１１６は、該カバー１１４を介して消火用ノズル１１３に固定金具接続ネジ１３０でネジ止めされ、該カバー１１４に圧入されている。合成樹脂で成形された取っ手１１５は、該固定金具１１６に合成樹脂製の圧入プラグ１１７を介して接続されている。圧入プラグ１１７は、固定金具１１６の取っ手側に形成されたプラグ挿入口径より、外径で略１割、大きく成形されている。また、該圧入プラグ１１７の取っ手挿入口内径は、取っ手１１５の外径と略同一に形成されている。図３では、カバー１１４と取っ手１１５を固定金具１１６と圧入プラグ１１７で接続しているが、カバー１１４と取っ手１１５を合成樹脂で一体的に成形されてもよい。
【００４０】
火災が発生した場合、住宅用消火栓１００を使用するにはカバー１１４に設けられた取っ手１１５を掴み、カバー１１４をケース１０２から引き出す事で、カバー１１４に接続された消火用ノズル１１３および消火用ノズル１１３に接続された消火用ホース１１２が一体的に引き出される。その後ハンドル１０９にて弁体１０７を回転させると、ボール１０７が回転することで消火用ノズル１１３までの通水路が開かれ、散水を開始する。
【００４１】
ケース１０２の内側の底部に第一及び第二の検知部である近接スイッチ１２１が取付けられており、またカバー１１４の壁面で近接スイッチ１２１と同じ位置になるように磁石１２２が取付けられている。取っ手１１５を掴みカバー１１４をケース１０２から引き出すことで、ケース内に取り付けられた近接スイッチ１２１から、カバー１１４に取り付けられた磁石１２２が離反したことを近接スイッチ１２１にて検出し、信号線５５、５４を介して第一の制御部７１および第二の制御部７２に信号を送る。
【００４２】
この信号により第一の制御部７１は第一の開閉弁２６を閉じ一般給水給湯配管２３を閉止し、また第二の制御部７２は住宅用スプリンクラー配管２９側を閉じるように給水切替器２８を切り替えるので、前記給水切替器２８の下流側にある住宅用消火栓配管２５側にのみ給水されるようになるため、住宅用消火栓１００に十分な水圧を与えることができる。
【００４３】
図４は本実施形態の給水切替器２８の部分断面図である。
給水切替器２８は３つの接続口からなり、それぞれ通水路口径は内径１６ｍｍとなっている。住宅用消火栓配管２５の上流側の接続口である住宅用消火栓配管接続口２０２、下流側の住宅用消火栓配管接続口２０１、住宅用スプリンクラー配管接続口２０３から構成される。電動モーター２０７を動作させることで、電動モーター２０７に接続されたシャフト２０６を介し、ボールシート２０５に挟込まれた切替ボール２０４を回転させ、上流側の住宅用消火栓配管接続口２０２から給水された水を住宅用消火栓配管接続口２０１へ流すか、住宅用スプリンクラー配管接続口２０３へ流すかの切り替えをすることができる。
【００４４】
図４では住宅用消火栓配管接続口２０２から住宅用スプリンクラー配管接続口２０３へ給水されるような位置に切替ボール２０４がある。通常は図４に示すこの回転位置に切替ボール２０４があり、住宅用スプリンクラーへのみ給水が行なわれるようになっており、給水切替器２８から住宅用消火栓１００までの住宅用消火栓配管２５内は施工後一度も通水しておらず、前記住宅用消火栓配管接続口２０１より下流側の管内には空気のみしかない。このため、この部分に水が滞留することはない。
【００４５】
第二の分岐部３１に設置した給水切替器２８の換わりに、住宅用スプリンクラー配管２９または第二の分岐部３１に開閉弁を設置した場合には、第二の分岐部３１から住宅用消火栓１００までの配管は水が滞留し、水の流れがないために死水となる。よって、第二の分岐部３１の上流側に逆止弁を設置するか、住宅用消火栓１００を定期的に使用することで死水を防ぐ必要がある。
【００４６】
第一の開閉弁２６及び給水切替器２８に換わって設置する開閉弁は、凍結対策が必要な寒冷地での使用の際には、水を微小量流すことのできるような、完全に止水することのできずほぼ閉止できる開閉弁でもかまわない。
また火災は日常的に起こるわけではないため、開閉弁の固着やさびにより、完全に閉止することができないこともありえるが、完全に止水できなくほぼ閉止できるものであってもかまわない。
開閉弁としては、ボール弁の他に、電磁弁、ダイヤフラム弁、仕切り弁あるいはフラッシュ弁であっても良い。また、ここでいう閉止には、ほぼ閉止できることも含む。
【００４７】
住宅用スプリンクラー６０は散水板を中心に円状に散水するため、一般的に比較的広範囲な空間での火災に対して消火能力があり、部屋の床面が正方形に近い、寝室、居間、台所に設置される。またこれらの部屋はそれぞれ、寝タバコ、ストーブ、コンロによる火災など、火災の発生頻度が高い。それに対して、住宅用消火栓１００は消火用ノズル１１３を中心として直線的に散水する。そのため、廊下などの幅が狭く、長さ方向に長い場所に設置する。また廊下は火気の使用頻度が少なく、火災の発生する確率も低い。よって通常は火災が起こった際には住宅用スプリンクラー６０が先に散水するために、給水切換器２８は、図４のように通常状態では住宅用スプリンクラー配管接続口２０３へ給水するように切替ボール２０４が位置している。
【００４８】
また寝室、居間、台所での火災による炎が住宅用スプリンクラー６０により抑制されてから避難する際に、廊下にまで炎が広がっている可能性がある。その際に、廊下あるいは居室に取付けた住宅用消火栓１００のカバー１１４をケース１０２より引き出すと近接スイッチ１２１が作動し、信号線５４を介して前記給水切替器２８内の第二の制御部７２に前記信号を伝達する。前記第二の制御部７２は、電動モーター２０７を駆動させ、給水切替器２８を住宅用消火栓配管接続口２０１、すなわち住宅用消火栓１００にのみ給水を行なうように動作させる。これにより十分な水圧で住宅用消火栓１００を使用することができ有効に消火活動を行なうことができる。
【００４９】
第一の検知部である住宅用消火栓１００の近接スイッチ１２１または住宅用スプリンクラー６０の近接スイッチ６９の少なくともどちらか一つが作動すると第一の開閉弁２６を閉止し、また、第二の検知部である前記近接スイッチ１２１が作動した場合には第二の開閉弁の機能を有している給水切替器２８も住宅用消火栓１００へ接続される住宅用消火栓配管２５へのみ給水するように作動する。
また、第一の検知部及び第二の検知部は、住宅用消火栓や住宅用スプリンクラーが作動したことを検知できるものであれば良く、近接スィッチに限定されずリミットスイッチ、光電スイッチあるいは超音波スイッチでも良く、さらに配管途中に設置した流量センサーを使用しても良い。
【００５０】
また廊下３００の天井には火災感知器７３が設置されており、第一の制御部７１に信号線５７にて接続されている。通常廊下３００には人がいる確率が低く、廊下３００にて火災が発生した場合、人が気付き、住宅用消火栓１００を操作するよりも先に、火災感知器７３が感知する可能性が高い。火災感知器７３が火災発生を感知すると、その情報は信号線５７を介して第一の制御部７１に伝達される。第一の制御部７１はこの情報を受けると第一の開閉弁２６を閉止する。
通常、第一の開閉弁２６はボールバルブが好ましい。なぜならば、第一の開閉弁２６は一般給水給湯器具に給水する通水路中に設置され、閉止頻度が少なくてよく、圧力損失が小さく、さらに開状態（通常使用時）や閉状態（火災発生時）に停電になってもその状態を保つことが要求されるためである。
しかしながら、ボールバルブでは、開閉にわずかであるが時間がかかるため、その間は住宅用消火栓１００に給水する水圧が不十分になる恐れがある。この場合でも上述のように火災感知器７３の感知によって第一の開閉弁２６を作動させると、住宅用消火栓１００を操作する時には第一の開閉弁２６が閉止完了状態であるため、十分な水圧で消火活動を行うことができる。
【００５１】
前記近接スイッチ１２１が作動した場合、給水切替器２８は住宅用消火栓１００へ接続される住宅用消火栓配管２５へのみ給水するように作動するので、居室に取付けられた住宅用スプリンクラー６０からの散水は停止し、水損を最小限にすることができる。さらに廊下の消火が完了した際には、住宅用消火栓１００のハンドル１０９を閉止の方へ回転させることですべての散水を停止することができるので、廊下の水損も最小限に抑えることができる。
【００５２】
【発明の効果】
以上のように、本発明は火災の際に住宅用スプリンクラーおよび住宅用消火栓が作動した時に、一般給水給湯配管側を閉止し、さらに、住宅用スプリンクラーまたは住宅用消火栓のどちらかの消火設備のみに給水を行ったので、消火活動に十分な水圧を確保することができる。
【図面の簡単な説明】
【図１】本発明の実施の形態におけるシステム図である。
【図２】本発明の実施の形態における住宅用スプリンクラーの横断面である。
【図３】本発明の実施の形態における住宅用消火栓の横断面である。
【図４】本発明の実施の形態における給水切替器の部分断面である。
【図５】従来の住宅用消火栓の斜視図
【符号の説明】
１  キッチンルーム
２  キャビネット
３  壁体
４  給水管
５  給水ホース内蔵ケース
６  給水ホース
７  開閉コック
８  手元開閉コック
２１  給水元管
２２  メーターボックス
２３  一般給水給湯配管
２４  第一の分岐部
２５  住宅用消火栓配管
２６  第一の開閉弁
２７  給水給湯ヘッダー
２８  給水切替器（第二の開閉弁）
２９  住宅用スプリンクラー配管
３０  大便器
３１  第二の分岐部
３２  住宅用スプリンクラー二次側配管
５０  住宅用スプリンクラー継手
５１  熱感知機能部
５２  信号線（住宅用スプリンクラー）
５３  警報ブザー
５４  信号線（住宅用消火栓から給水切替器）
５５  信号線（住宅用消火栓から開閉弁）
５６  信号線（警報ブザーから開閉弁）
５７  信号線（火災感知器から開閉弁）
６０  住宅用スプリンクラー
６１  天井
６２  スプリンクラーヘッド
６３  コイルスプリング
６４  板バネ
６５  フック
６６  取付キャップ本体
６７    半田
６８    カバー
６９    近接スイッチ
７０    磁石
７１    第一の制御部
７２    第二の制御部
７３    火災感知器
１００  住宅用消火栓
１０１  壁
１０２  ケース
１０４  継手
１０５  止水弁
１０６ａ  上流側パッキン
１０６ｂ  下流側パッキン
１０７  弁体
１０８  弁体軸
１０９  ハンドル
１１０  消火用ホース接続金具
１１１  消火用ホース固定リング
１１２  消火用ホース
１１３  消火用ノズル
１１４  カバー
１１５  取っ手
１１６  固定金具
１１７  圧入プラグ
１２０  締結バンド
１２１  近接スイッチ
１２２  磁石
１３０  固定金具接続ネジ
２０１  住宅用消火栓配管接続口
２０２  住宅用消火栓配管接続口
２０３  住宅用スプリンクラー配管接続口
２０４  切替ボール
２０５  ボールシート
２０６  シャフト
２０７  電動モーター
３００  廊下
【図１】
2004351043.tif 000003
【図２】
2004351043.tif 000004
【図３】
2004351043.tif 000005
【図４】
2004351043.tif 000006
【図５】
2004351043.tif 000007